(57)【要約】【課題】カバーの摩耗劣化等を防止しつつ、カバーを組み付けた筐体の小型化を図り得る構成を提供する。【解決手段】イヤホンジャック１９が露出する筐体１１には、底面１５にねじ１６ａが締結される凹部１４が設けられ、イヤホンジャック１９を覆って保護するためのカバー本体６１を有するカバー６０には、カバー本体６１に連結されて凹部１４内の規定位置まで入り込んだ時にカバー本体６１がイヤホンジャック１９を覆うように形成される円柱部６２及びフランジ部６３が設けられる。そして、カバー６０を筐体１１に対して移動可能に組み付けるための組付部材５０には、凹部１４内に挿入されて、円柱部６２及びフランジ部６３が凹部１４内から抜け出ることを防止する支持部５２が設けられる。【選択図】図１２
2020057177.tif 000002
【特許請求の範囲】
【請求項１】
外部接続部を有する電子機器であって、
前記外部接続部が露出する筐体と、
前記外部接続部を覆って保護するためのカバー本体を有するカバーと、
前記カバーを前記筐体に対して移動可能に組み付けるための組付部材と、を備え、
前記筐体には、底面に着脱可能な部材が装着される凹部が設けられ、
前記カバーには、前記カバー本体に連結されて前記凹部内の規定位置まで入り込んだ時に前記カバー本体が前記外部接続部を覆うように形成される連結部が設けられ、
前記組付部材には、前記凹部内に挿入されて、前記連結部が前記凹部内から抜け出ることを防止する抜け止め部が設けられることを特徴とする電子機器。
【請求項２】
前記連結部には、前記カバー本体に対して一端側にて連結する小径部と、前記小径部の他端側に連結する大径部とが設けられ、
前記抜け止め部には、前記凹部内への挿入方向に対して直交する方向から前記小径部が組み込まれて前記大径部が前記挿入方向に通過不能なスリットが形成されることを特徴とする請求項１に記載の電子機器。
【請求項３】
前記外部接続部は、前記凹部と異なる位置にて前記筐体に形成される第２の凹部の底面に配置され、
前記第２の凹部を囲う前記筐体の外面は、前記外部接続部を覆った前記カバー本体の外面に対して面一となるように形成されることを特徴とする請求項１又は２に記載の電子機器。
【発明の詳細な説明】
【技術分野】
【０００１】
本発明は、外部接続部を保護するためのカバーを有する電子機器に関するものである。
【背景技術】
【０００２】
従来、外部接続部を保護するためのカバーを有する電子機器として、例えば、下記特許文献１に開示される電子機器が知られている。この電子機器は、メモリカード挿入用の開口部が形成された筐体に対してその開口部を閉塞可能に組み付けられるメモリカードカバーを備えるように構成されている。このメモリカードカバーは、開口部を閉塞するための本体部が可撓性を有する薄肉状のヒンジ部を介して筐体の固定部に接続されるように構成されており、ヒンジ部は、その弾性変形により、本体部の開口部から退避する運動と開口部に装着される運動とを可能とするように形成されている。
【先行技術文献】
【特許文献】
【０００３】
【特許文献１】特開２００８−２６９２４８号公報
【発明の概要】
【発明が解決しようとする課題】
【０００４】
ところで、上記特許文献１のように、ヒンジ部等の変形特性を利用してカバー本体を移動させることで開口部を保護する保護状態と開口部を露出させる露出状態とを切り替える構造では、その切り替え動作の繰り返しのために、ヒンジ部等が摩耗劣化しやすいという問題がある。さらに、ヒンジ部等を利用してカバー本体を筐体に対して開閉可能に組み付ける構造では、筐体内にヒンジ部等を連結するための専用のスペースを設ける必要があり、カバーを組み付けた筐体の小型化を図ることが困難になるという問題がある。
【０００５】
本発明は、上述した課題を解決するためになされたものであり、その目的とするところは、カバーの摩耗劣化等を防止しつつ、カバーを組み付けた筐体の小型化を図り得る構成を提供することにある。
【課題を解決するための手段】
【０００６】
上記目的を達成するため、特許請求の範囲の請求項１に記載の発明は、
外部接続部（１９）を有する電子機器（１０）であって、
前記外部接続部が露出する筐体（１１）と、
前記外部接続部を覆って保護するためのカバー本体（６１）を有するカバー（６０）と、
前記カバーを前記筐体に対して移動可能に組み付けるための組付部材（５０）と、を備え、
前記筐体には、底面（１５）に着脱可能な部材（１６ａ）が装着される凹部（１４）が設けられ、
前記カバーには、前記カバー本体に連結されて前記凹部内の規定位置まで入り込んだ時に前記カバー本体が前記外部接続部を覆うように形成される連結部（６２，６３）が設けられ、
前記組付部材には、前記凹部内に挿入されて、前記連結部が前記凹部内から抜け出ることを防止する抜け止め部（５２）が設けられることを特徴とする。
なお、上記各括弧内の符号は、後述する実施形態に記載の具体的手段との対応関係を示すものである。
【発明の効果】
【０００７】
請求項１の発明では、外部接続部が露出する筐体には、底面に着脱可能な部材が装着される凹部が設けられ、外部接続部を覆って保護するためのカバー本体を有するカバーには、カバー本体に連結されて凹部内の規定位置まで入り込んだ時にカバー本体が外部接続部を覆うように形成される連結部が設けられる。そして、カバーを筐体に対して移動可能に組み付けるための組付部材には、凹部内に挿入されて、連結部が凹部内から抜け出ることを防止する抜け止め部が設けられる。
【０００８】
これにより、カバー本体によって外部接続部を覆って保護する保護状態とカバー本体を外して外部接続部を露出させる露出状態との切り替える際には、その切り替えに合わせて連結部を凹部内にて移動させることとなる。このため、切り替え動作が繰り返されてもカバーには大きな弾性変形が生じ難いので、切り替え動作の繰り返しに起因する摩耗劣化等を抑制することができる。特に、筐体の凹部内に入り込んだ連結部を利用して、カバー本体が筐体に組み付けられる。凹部は、その底面にねじ等の部材が着脱されることから、カバーの有無に関係なく筐体に設けられるものであり、その凹部内のスペースを活用することで、カバーを筐体に組み付けるための専用のスペースを不要とすることができる。したがって、カバーの摩耗劣化等を防止しつつ、カバーを組み付けた筐体の小型化を図ることができる。
【０００９】
請求項２の発明では、連結部には、カバー本体に対して一端側にて連結する小径部と、この小径部の他端側に連結する大径部とが設けられ、抜け止め部には、凹部内への挿入方向に対して直交する方向から小径部が組み込まれて大径部が上記挿入方向に通過不能なスリットが形成される。
【００１０】
これにより、スリットに小径部が組み込まれた抜け止め部を凹部内に挿入することで、大径部がスリットを通過できないことから、連結部が凹部内から抜け出ることを防止することができる。特に、小径部の挿入方向に沿う長さに応じてカバー本体を移動できるだけでなく、スリット内にて小径部を回転させることで当該小径部を軸とするようにカバー本体を回転できるので、保護状態と露出状態とを容易に切り替えることができる。
【００１１】
請求項３の発明では、外部接続部は、凹部と異なる位置にて筐体に形成される第２の凹部の底面に配置され、この第２の凹部を囲う筐体の外面は、外部接続部を覆ったカバー本体の外面に対して面一となるように形成される。
【００１２】
これにより、外部接続部がカバー本体により覆われた保護状態では、カバー本体の外面と第２の凹部を囲う筐体の外面とが面一となるので、意図せずにカバー本体が第２の凹部から外れて露出状態となることを抑制することができる。
【図面の簡単な説明】
【００１３】
【図１】第１実施形態に係る携帯端末を示す斜視図である。
【図２】図１の携帯端末を背面側から見た斜視図である。
【図３】図１の携帯端末の上面図である。
【図４】図４（Ａ）は、図１の携帯端末の電気的構成を例示するブロック図であり、図４（Ｂ）は、図４（Ａ）の無線タグ処理部の電気的構成を概略的に例示するブロック図であり、図４（Ｃ）は、図４（Ａ）の情報コード読取部の電気的構成を概略的に例示するブロック図である。
【図５】カバー及び組付部材が組み付けられた筐体の近傍を示す断面図である。
【図６】組付部材の正面図である。
【図７】組付部材の底面図である。
【図８】組付部材のスリット側から見た側面図である。
【図９】カバーの正面図である。
【図１０】カバーの底面図である。
【図１１】カバーのカバー本体側から見た側面図である。
【図１２】図５に対してカバー本体を筐体から引き上げた状態を示す断面図である。
【発明を実施するための形態】
【００１４】
［第１実施形態］
以下、本発明に係る電子機器を携帯端末に適用した第１実施形態について、図面を参照して説明する。
本実施形態に係る携帯端末１０は、ユーザによって携帯されて様々な場所で用いられる携帯型の電子機器であって、ベースモジュールに対して複数の機能モジュールを組み付けることでその機能モジュールに応じた機能を実現するように構成されている。具体的には、携帯端末１０は、各機能モジュールの組み合わせによって、バーコードや二次元コードなどの情報コードを光学的に読み取る情報コードリーダとしての機能に加えて、アンテナを介して送受信される電波を媒介としてＲＦＩＤタグなどの無線タグに記憶されている情報を読み書きする機能を兼ね備え、読み取りを二方式で行いうる構成となっている。
【００１５】
図１〜図３に示すように、携帯端末１０の外郭を構成する筐体１１は、略薄板状に形成されており、その表面１１ａには、狭額縁化（狭ベゼル化）されるように大型化された表示画面２４ａが配置されている。また、図２に示すように、筐体１１の裏面１１ｂの長手方向一側には、情報コードＣからの反射光を筐体１１内に取り込むための読取口１２が設けられ、長手方向他側には、電池蓋１３が組み付けられている。
【００１６】
また、図２及び図３からわかるように、筐体１１の長手方向一側の端面（以下、一側端面１１ｃともいう）には、ベースモジュールに対してトップモジュールを組み付けるための円形状の凹部１４が所定の深さにて左右一対設けられている。両凹部１４は、トップモジュールに形成されるもので、凹部１４の底面１５に締結（装着）されたねじ１６ａ等を利用して、トップモジュールがベースモジュールに対して組み付けられている。
【００１７】
また、一側端面１１ｃには、図５に示すように、イヤホンジャック１９が底面１８に設けられる凹部１７が、一方の凹部１４に近接して形成されている。このように近接した凹部１４及び凹部１７に組み付けられる組付部材５０を利用して、イヤホンジャック１９を保護するためのカバー６０が筐体１１に組み付けられている。カバー６０及び組付部材５０の詳細形状については後述する。なお、凹部１７は、「第２の凹部」の一例に相当し得る。
【００１８】
筐体１１内には、携帯端末１０全体を制御する制御部２１が設けられている（図４（Ａ）参照）。この制御部２１は、マイコンを主体として構成されるものであり、ＣＰＵ、システムバス、入出力インタフェース等を有し、記憶部２２とともに情報処理装置を構成している。記憶部２２には、情報コードＣを光学的に読み取る読取処理を実行するためのプログラムや無線タグＴを非接触通信にて読み取る読取処理を実行するためのプログラム等が制御部２１により実行可能に予め格納されている。
【００１９】
また、図４（Ａ）に示すように、制御部２１には、ＬＥＤ２３、タッチパネル２４、操作部２５、バイブレータ２６、スピーカ２７、通信部２８などが接続されている。タッチパネル２４は、公知のタッチパネル型の表示装置として構成されており、液晶表示器等の公知の表示デバイスとして構成される表示部と、この表示部の表示画面２４ａに重ねられて当該表示画面２４ａに対して押圧操作（接触）している範囲を検出可能な検出部として機能する透明性の操作パネルとを備えている。このタッチパネル２４は、制御部２１によって表示部の表示内容が制御される。操作部２５は、上記操作パネルと筐体１１の側面等に設けられる複数のキーとを備えるように構成されることで、タッチパネル２４の表示画面２４ａに対する押圧操作（タッチ範囲等）やキー操作に応じた信号を制御部２１に出力するように構成される。また、ＬＥＤ２３、バイブレータ２６及びスピーカ２７は、制御部２１によって制御される構成をなしており、それぞれ、制御部２１からの指令を受けて動作する。通信部２８は、サーバ等の外部機器との間で有線通信又は無線通信によりデータ通信を行うためのインタフェースとして構成されており、制御部２１と協働して通信処理を行う構成をなしている。また、筐体１１内には、電源部２９が設けられており、この電源部２９やバッテリー２９ａによって制御部２１や各種電気部品に電力が供給されるようになっている。
【００２０】
また、携帯端末１０は、制御部２１により制御されて外部の情報を読み取り可能な情報読取部として機能する無線タグ処理部３０及び情報コード読取部４０を備えている。
【００２１】
まず、無線タグ処理部３０について、図４（Ｂ）を用いて説明する。
無線タグ処理部３０は、アンテナ３４及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部３０は、公知の電波方式で伝送を行う回路として構成されており、図４（Ｂ）にて概略的に示すように、送信回路３１、受信回路３２、整合回路３３などを有している。
【００２２】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００２３】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２４】
次に、情報コード読取部４０について、図４（Ｃ）を用いて説明する。
情報コード読取部４０は、図４（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して読取対象Ｒに付された情報コードＣ（バーコードや二次元コード）を読み取るように機能する。
【００２５】
この情報コード読取部４０によって読み取りを行う場合、まず、制御部２１によって指令を受けた照明部４１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ４２を通って受光センサ４３に受光される。読取口１２と受光センサ４３との間に配される結像レンズ４２は、情報コードＣの像を受光センサ４３上に結像させる構成をなしており、受光センサ４３はこの情報コードＣの像に応じた受光信号を出力する。受光センサ４３から出力された受光信号は、画像データとして記憶部２２に記憶され、情報コードＣに記録された情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００２６】
次に、イヤホンジャック１９を保護するためのカバー６０及び組付部材５０について、図面を参照して説明する。
本実施形態では、図５に示すように、筐体１１の一側端面１１ｃに形成される凹部１４及び凹部１７に対して組付部材５０が組み付けられており、この組付部材５０を利用して、イヤホンジャック１９を保護するためのカバー６０が筐体１１に組み付けられている。
【００２７】
まず、図５〜図８を参照して、組付部材５０の詳細形状について詳述する。
組付部材５０は、合成樹脂等によって構成され、図５〜図８に示すように、イヤホンジャック１９が嵌まり込む長穴５１ａが形成される基部５１と、カバー６０を移動可能に支持する支持部５２と、ねじ締結用の貫通穴５３ａが形成される締結部５３とが一体となるように形成されている。
【００２８】
基部５１は、図５に示すように、イヤホンジャック１９が長穴５１ａに嵌まり込むように凹部１７内に収容された状態で、凹部１７を囲う一側端面１１ｃの部位に対して低くなるように形成されている。
【００２９】
支持部５２は、基部５１が上述のように凹部１７内に収容された状態にて、凹部１４内に挿入するように形成されている。この支持部５２には、凹部１４の底面１５と外部とを連通するようにスリット５２ａが設けられている。このスリット５２ａは、凹部１４内への挿入方向（図５の上下方向）に対して直交する方向（長穴５１ａの長軸方向）に沿って切り欠かれるように、中央部側が半円弧状であって、外縁から中央にかけて一定の幅寸法にて形成されている。
【００３０】
次に、図５及び図９〜図１１を参照して、カバー６０の詳細形状について詳述する。
カバー６０は、エラストマー等の弾性部材によって構成され、図５及び図９〜図１１に示すように、イヤホンジャック１９を覆って保護するカバー本体６１と、カバー本体６１に対して一端側にて連結する円柱部６２と、円柱部６２の他端側に連結するフランジ部６３とが一体となるように形成されている。
【００３１】
カバー本体６１は、基部５１が収容された凹部１７に対して基部５１を覆った状態ではめ込まれるように形成されている。カバー本体６１の下面には、上述のように凹部１７に対してはめ込まれた状態にて、イヤホンジャック１９の挿入孔に対して弾性変形した状態で挿入可能な十字状の挿入部６１ａが設けられている。
【００３２】
特に、カバー本体６１は、挿入部６１ａが挿入孔に挿入されたイヤホンジャック１９を覆った保護状態で、その外面が凹部１７を囲う一側端面１１ｃに対して面一となるように形成されている。すなわち、凹部１７を囲う一側端面１１ｃは、イヤホンジャック１９を覆ったカバー本体６１の外面に対して面一となるように形成される。
【００３３】
円柱部６２は、フランジ部６３とともに凹部１４内の規定位置（図５参照）まで入り込んだ時、カバー本体６１が挿入部６１ａにて挿入孔に挿入されてイヤホンジャック１９を覆うように形成されている。また、円柱部６２は、スリット５２ａに対して上記挿入方向に対して直交する方向から組み込み可能に形成されており、凹部１４内に挿入された支持部５２のスリット５２ａを挿通することで、カバー本体６１の筐体１１に対する移動範囲を制限するように機能する。このため、円柱部６２の軸方向（挿通方向）長さは、カバー本体６１の筐体１１に対する移動範囲に応じて設定される。
【００３４】
フランジ部６３は、スリット５２ａを通過不能となるように、円柱部６２よりも大径に形成されている。このため、支持部５２は、円柱部６２がスリット５２ａを挿通可能であって、フランジ部６３がスリット５２ａを通過不能であることから、円柱部６２及びフランジ部６３が凹部１４内から抜け出ることを防止する抜け止め部として機能する。なお、円柱部６２は、「小径部」の一例に相当し、フランジ部６３は、「大径部」の一例に相当し得る。また、円柱部６２及びフランジ部６３は、カバー本体６１に連結されて凹部１４内の規定位置まで入り込んだ時にカバー本体６１がイヤホンジャック１９を覆うように形成される「連結部」の一例に相当し得る。
【００３５】
次に、上述のように構成されるカバー６０及び組付部材５０に関して、組付部材５０の筐体１１への組み付け状態及びこの組付部材５０によるカバー６０の支持状態について、図５及び図１２等を参照して説明する。
【００３６】
支持部５２のスリット５２ａに円柱部６２を挿通させた状態で、イヤホンジャック１９が長穴５１ａに嵌まり込むように基部５１を凹部１７内に収容させるとともに、支持部５２を凹部１４内に挿入する。この状態で、貫通穴５３ａを利用してねじ１６ｂにより締結部５３を筐体１１に締結する。これにより、組付部材５０が筐体１１に組み付けられるとともに、この組付部材５０のスリット５２ａを挿通する円柱部６２を軸に、カバー６０が、組付部材５０、すなわち、筐体１１に対して移動可能に組み付けられる。
【００３７】
このため、挿入部６１ａが挿入孔に挿入するようにカバー本体６１を凹部１７にはめ込むことで、外面が一側端面１１ｃに対して面一となったカバー本体６１によりイヤホンジャック１９が覆われて保護される保護状態となる（図５参照）。この保護状態では、円柱部６２及びフランジ部６３は、図５に示すように、凹部１４内の上記規定位置まで入り込むこととなる。
【００３８】
一方、イヤホンジャック１９を露出させる露出状態とする場合には、カバー本体６１を凹部１７から取り外す。その際、円柱部６２の軸方向（図１２の矢印Ｆ１参照）に沿ってカバー本体６１を移動させた際、図１２に示すように、フランジ部６３が支持部５２の下面に接触することで、円柱部６２及びフランジ部６３が凹部１４内から抜け出ることが防止される。
【００３９】
特に、カバー本体６１を凹部１７から取り外した状態では、スリット５２ａ内にて円柱部６２を回転させることができ（図１２の矢印Ｆ２参照）、この円柱部６２の回転により、当該円柱部６２を軸とするようにカバー本体６１を回転させることができる。これにより、カバー６０を大きく弾性変形させることなく、イヤホンジャック１９を露出させることができる。
【００４０】
以上説明したように、本実施形態に係る携帯端末１０では、イヤホンジャック１９が露出する筐体１１には、底面１５にねじ１６ａが締結（装着）される凹部１４が設けられ、イヤホンジャック１９を覆って保護するためのカバー本体６１を有するカバー６０には、カバー本体６１に連結されて凹部１４内の規定位置まで入り込んだ時にカバー本体６１がイヤホンジャック１９を覆うように形成される連結部として円柱部６２及びフランジ部６３が設けられる。そして、カバー６０を筐体１１に対して移動可能に組み付けるための組付部材５０には、凹部１４内に挿入されて、円柱部６２及びフランジ部６３が凹部１４内から抜け出ることを防止する抜け止め部として支持部５２が設けられる。
【００４１】
これにより、カバー本体６１によってイヤホンジャック１９を覆って保護する保護状態とカバー本体６１を外してイヤホンジャック１９を露出させる露出状態との切り替える際には、その切り替えに合わせて円柱部６２及びフランジ部６３を凹部１４内にて移動させることとなる。このため、切り替え動作が繰り返されてもカバー６０には大きな弾性変形が生じ難いので、切り替え動作の繰り返しに起因する摩耗劣化等を抑制することができる。特に、筐体１１の凹部１４内に入り込んだ円柱部６２及びフランジ部６３を利用して、カバー本体６１が筐体１１に組み付けられる。凹部１４は、その底面１５にねじ１６ａが締結されることから、カバー６０の有無に関係なく筐体１１に設けられるものであり、その凹部１４内のスペースを活用することで、カバー６０を筐体１１に組み付けるための専用のスペースを不要とすることができる。したがって、カバー６０の摩耗劣化等を防止しつつ、カバー６０を組み付けた筐体１１の小型化を図ることができる。
【００４２】
特に、上記連結部として、カバー本体６１に対して一端側にて連結する円柱部６２と、この円柱部６２の他端側に連結するフランジ部６３とが設けられ、抜け止め部として機能する支持部５２には、凹部１４内への挿入方向に対して直交する方向から円柱部６２が組み込まれてフランジ部６３が上記挿入方向に通過不能なスリット５２ａが形成される。
【００４３】
これにより、スリット５２ａに円柱部６２が組み込まれた支持部５２を凹部１４内に挿入することで、フランジ部６３がスリット５２ａを通過できないことから、円柱部６２及びフランジ部６３が凹部１４内から抜け出ることを防止することができる。特に、円柱部６２の挿入方向に沿う長さに応じてカバー本体６１を移動できるだけでなく、スリット５２ａ内にて円柱部６２を回転させることで当該円柱部６２を軸とするようにカバー本体６１を回転できるので、保護状態と露出状態とを容易に切り替えることができる。
【００４４】
さらに、イヤホンジャック１９は、凹部１４と異なる位置にて筐体１１の一側端面１１ｃに形成される凹部１７の底面１８に配置され、この凹部１７を囲う一側端面１１ｃの部位は、イヤホンジャック１９を覆ったカバー本体６１の外面に対して面一となるように形成される。
【００４５】
これにより、イヤホンジャック１９がカバー本体６１により覆われた保護状態では、カバー本体６１の外面と凹部１７を囲う一側端面１１ｃの部位とが面一となるので、意図せずにカバー本体６１が凹部１７から外れて露出状態となることを抑制することができる。
【００４６】
なお、本発明は上記実施形態等に限定されるものではなく、例えば、以下のように具体化してもよい。
（１）本発明に係るカバー６０の保護対象は、イヤホンジャック１９に限らず、ＵＳＢポート等の他の外部接続部であってもよい。
【００４７】
（２）組付部材５０の支持部５２は、ねじ１６ａが底面１５に締結された凹部１４に挿入されることに限らず、カバー６０の有無に関係なく筐体１１に形成される他の凹部に挿入されてもよい。この他の凹部の底面には、ねじ１６ａなどのように、着脱可能な部材が装着される。このようにしても、上記他の凹部内のスペースを活用することで、カバーを筐体に組み付けるための専用のスペースを不要とすることができる。
【００４８】
（３）カバー本体６１は、連結部として機能する円柱部６２及びフランジ部６３が凹部１４内にて挿入される支持部５２にて支持されることで、筐体１１に対して移動可能に組み付けられることに限らず、当該カバー本体６１に連結される所定の形状の連結部が筐体１１の凹部１４等内に挿入される抜け止め部により抜け止めされることで、筐体１１に対して移動可能に組み付けられてもよい。
【符号の説明】
【００４９】
１０…携帯端末（電子機器）
１１…筐体
１１ｃ…一側端面
１４…凹部
１５…底面
１７…凹部（第２の凹部）
１９…イヤホンジャック（外部接続部）
５０…組付部材
５１…基部
５２…支持部（抜け止め部）
５２ａ…スリット
６０…カバー
６１…カバー本体
６２…円柱部（連結部，小径部）
６３…フランジ部（連結部，大径部）
【図１】
2020057177.tif 000003
【図２】
2020057177.tif 000004
【図３】
2020057177.tif 000005
【図４】
2020057177.tif 000006
【図５】
2020057177.tif 000007
【図６】
2020057177.tif 000008
【図７】
2020057177.tif 000009
【図８】
2020057177.tif 000010
【図９】
2020057177.tif 000011
【図１０】
2020057177.tif 000012
【図１１】
2020057177.tif 000013
【図１２】
2020057177.tif 000014